(57)【特許請求の範囲】
【請求項１】
平板部（１）と、平板部（１）に対して上下の二面がそれぞれ４５度を保ち上下両端と平板部（１）との間に隙間をあけて固定されたＬ型板部（２）と、Ｌ型板部（２）の両端を塞いでと平板部（１）とを固定している左右の支持部（３）と、Ｌ型板部（２）と左右の支持部（３）とが形成する屋根型の覆いと平板部（１）とに挟まれた内側に横一列で前後左右に遊びを有して入れられた複数のボール（４）とから成り、ボール（４）の２点が平板部（１）とＬ型板部（２）の二面で支えられて隙間から落ちない構造であることを特徴とする薄物挟持具。
【請求項２】
平板部（１）と、平板部（１）に対して上下の二面がそれぞれ４５度を保ち上下両端と平板部（１）との間に隙間をあけて固定されたＬ型板部（２）と、Ｌ型板部（２）の両端の一方を塞いでと平板部（１）とを固定している支持部（３）と、Ｌ型板部（２）の両端の他方を塞いで平板部（１）との隙間を残している横板部（５）と、Ｌ型板部（２）と支持部（３）と横板部（５）が形成する屋根型の覆いと平板部（１）とに挟まれた内側に横一列で前後左右に遊びを有して入れられた複数のボール（４）とから成り、ボール（４）の２点が平板部（１）とＬ型板部（２）の二面で支えられて隙間から落ちない構造であることを特徴とする薄物挟持具。
【請求項３】
平板部（１）と、平板部（１）に対して上下の二面がそれぞれ４５度を保ち上下両端と平板部（１）との間に隙間をあけて固定されたＬ型板部（２）と、Ｌ型板部（２）の中間を塞いでと平板部（１）とを固定している支持部（３）と、Ｌ型板部（２）の両端を塞いで平板部（１）との隙間を残している左右の横板部（５）と、Ｌ型板部（２）と支持部（３）と左右の横板部（５）が形成する屋根型の覆いと平板部（１）とに挟まれた内側に横一列で前後左右に遊びを有して入れられた複数のボール（４）とから成り、ボール（４）の２点が平板部（１）とＬ型板部（２）の二面で支えられて隙間から落ちない構造であることを特徴とする薄物挟持具。
【発明の詳細な説明】
【０００１】
【発明が属する技術分野】
本発明は、挟持の対象である伝票、メモ、図面、布などの薄物を挟持することのできる薄物挟持具に関するものである。
【０００２】
【従来の技術】
従来、垂直の背板と、背板の上端から前方に形成された上板と、上板の前端から下方に形成された前板と、前板の下端から背板に向かって斜め下に隙間を保って形成された斜板と、背板と上板と前板と斜板とで形成された筒の内側に前後左右に遊びを有して横一列に入れられたボールと、背板と上板と前板と斜板とで形成された筒の両端を隙間なしに塞ぐ横板とで構成された、伝票やメモなどに用いられる薄物挟持具がみられる。斜板を下にしてボールの重量を利用してボールと背板との間に挟持力を発生させる構造である。
【０００３】
【発明が解決しようとする課題】
上記従来のボールの重量を用いた薄物挟持具は、斜板を下に向けた状態では使用できるが、上下を逆にすると使用できなかった。また、下方からの押し入れと引き出しはできるが、側方や上方からはできなかった。下方からの出し入れに限定されていると、薄物挟持具の正面までいって丁寧に下から薄物の出し入れ作業をしなければならず、その動作をするのに時間がかかる。薄物挟持具の側方が塞がっていると、はみ出す程に横幅のある薄物は挟持することができない。また、挟持した薄物の左右の位置は横板までしか調整できなかった。また、挟持した薄物の上下の位置はまったく調整できなかった。また、非常に柔かい紙や柔軟な布などはボールと背板の間に押し入れることができず挟持できなかった。
【０００４】
本発明は、上記した課題を解決することのできる薄物挟持具を提供することを目的とする。
【０００５】
【課題を解決するための手段】
上記目的を達成するため、請求項１記載の薄物挟持具は、平板部と、平板部に対して上下の二面がそれぞれ４５度を保ち上下両端と平板部との間に隙間をあけて固定されたＬ型板部と、Ｌ型板部の両端を塞いでと平板部とを固定している左右の支持部と、Ｌ型板部と左右の支持部とが形成する屋根型の覆いと平板部とに挟まれた内側に横一列で前後左右に遊びを有して入れられた複数のボールとから成り、ボールの２点が平板部とＬ型板部の二面で支えられて隙間から落ちない構造であることを特徴とする。
【０００６】
また、請求項２記載の薄物挟持具は、平板部と、平板部に対して上下の二面がそれぞれ４５度を保ち上下両端と平板部との間に隙間をあけて固定されたＬ型板部と、Ｌ型板部の両端の一方を塞いでと平板部とを固定している支持部と、Ｌ型板部の両端の他方を塞いで平板部との隙間を残している横板部と、Ｌ型板部と支持部と横板部が形成する屋根型の覆いと平板部とに挟まれた内側に横一列で前後左右に遊びを有して入れられた複数のボールとから成り、ボールの２点が平板部とＬ型板部の二面で支えられて隙間から落ちない構造であることを特徴とする。
【０００７】
また、請求項３記載の薄物挟持具は、平板部と、平板部に対して上下の二面がそれぞれ４５度を保ち上下両端と平板部との間に隙間をあけて固定されたＬ型板部と、Ｌ型板部の中間を塞いでと平板部とを固定している支持部と、Ｌ型板部の両端を塞いで平板部との隙間を残している左右の横板部と、Ｌ型板部と支持部と左右の横板部が形成する屋根型の覆いと平板部とに挟まれた内側に横一列で前後左右に遊びを有して入れられた複数のボールとから成り、ボールの２点が平板部とＬ型板部の二面で支えられて隙間から落ちない構造であることを特徴とする。
【０００８】
上記した請求項１記載の発明によれば、斜めに形成されたＬ型板部の上下の二面があり、ボールは重力により自動的に下になったＬ型板部の斜面に移動するので、上下を逆にしても使用することができる。また、下方からの押し入れと引き出しができるだけでなく、上方からの押し入れと引き出しもできる。これにより、薄物の押し入れや引き出しの作業が非常に楽になり、時間も短縮できる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。
【０００９】
上記した請求項２記載の発明によれば、斜めに形成されたＬ型板部の上下の二面があり、ボールは重力により自動的に下になったＬ型板部の斜面に移動するので、上下を逆にしても使用することができる。また、下方からの押し入れと引き出しができるだけでなく、上方や横板部のある側方からの押し入れと引き出しもできる。これにより、薄物の押し入れや引き出しの作業が非常に楽になり、時間も短縮できる。また、挟持した薄物の左右の位置は横板部側はフリーであるため、横方向の位置調整が自由にできる。これにより、薄物挟持具からはみ出す程に横幅のある薄物でも挟持することができる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。また、非常に柔かい紙や柔軟な布などは、その上下を引っ張った状態で横板部の側の隙間から横方向にスライドさせることにより、簡単に挟持することができる。
【００１０】
上記した請求項３記載の発明によれば、斜めに形成されたＬ型板部の上下の二面があり、ボールは重力により自動的に下になったＬ型板部の斜面に移動するので、上下を逆にしても使用することができる。また、支持部の上下を除き、下方からの押し入れと引き出しができるだけでなく、上方や左右の側方からの押し入れと引き出しもできる。これにより、薄物の押し入れや引き出しの作業が非常に楽になり、時間も短縮できる。また、挟持した薄物の左右の位置は横板部側はフリーであるため、横方向の位置調整が自由にできる。これにより、薄物挟持具からはみ出す程に横幅のある薄物でも挟持することができる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。また、非常に柔かい紙や柔軟な布などは、その上下を引っ張った状態で横板部の側の隙間から横方向にスライドさせることにより、簡単に挟持することができる。
【００１１】
【発明の実施の形態】
以下、本発明に係わる薄物挟持具について説明するが、本発明は以下の実施の形態にのみ限定されるべきものではないことはいうまでもない。
【００１２】
請求項１記載の発明に係わる薄物６挟持具の実施の形態を、図１〜図３に基づいて説明する。、図中１は、平板状の平板部である。図中２は、上下両端と平板部１との間に隙間をあけて固定されたＬ型板部であり、平板部１に対してＬ型板部２の上下の二面がそれぞれ４５度を保っている。図中３は、Ｌ型板部２の両端を塞いだ状態で固定されている左右の支持部である。この支持部３は、Ｌ型板部２と平板部１の間に隙間を設けて平板部１に固定されている。図中４は、Ｌ型板部２と左右の支持部３とが形成する屋根型の覆いと平板部１とに挟まれた内側の空間に入れられている複数のボールである。ボール４は、横一列で前後左右に遊びを有した状態で入れられている。ボール４は球面上の２点が平板部１とＬ型板部２の二面で支えられる形となり、隙間からは落ちない構造である。薄物６を出し入れできる隙間は、薄物挟持具の上方と下方に形成される。
【００１３】
請求項２記載の発明に係わる薄物挟持具の実施の形態を、図４〜図６に基づいて説明する。図中１は、平板状の平板部１である。図中２は、上下両端と平板部１との間に隙間をあけて固定されたＬ型板部２であり、平板部１に対してＬ型板部２の上下の二面がそれぞれ４５度を保っている。図中３は、Ｌ型板部２の両端の一方を塞いだ状態で固定されている支持部３である。この支持部３は、Ｌ型板部２と平板部１の間に隙間を設けて平板部１に固定されている。図中５は、Ｌ型板部２の両端の他方を塞いで平板部１との隙間を残している横板部である。図中４は、Ｌ型板部２と左右の支持部３とが形成する屋根型の覆いと平板部１とに挟まれた内側の空間に入れられている複数のボール４である。ボール４は、横一列で前後左右に遊びを有した状態で入れられている。ボール４は球面上の２点が平板部１とＬ型板部２の二面で支えられる形となり、隙間からは落ちない構造である。薄物６を出し入れできる隙間は、薄物挟持具の上方と横板部５側の側方と薄物挟持具の下方に連続して形成される。
【００１４】
請求項３記載の発明に係わる薄物挟持具の実施の形態を、図７〜図９に基づいて説明する。図中１は、平板状の平板部１である。図中２は、上下両端と平板部１との間に隙間をあけて固定されたＬ型板部２であり、平板部１に対してＬ型板部２の上下の二面がそれぞれ４５度を保っている。図中３は、Ｌ型板部２の中間を塞いだ状態で固定されている支持部３である。この支持部３は、Ｌ型板部２と平板部１の間に隙間を設けて平板部１に固定されている。図中５は、Ｌ型板部２の両端を塞いで平板部１との隙間を残している左右の横板部５である。図中４は、Ｌ型板部２と左右の横板部５が形成し中間の支持部３によって内部が二分されている屋根型の覆いと平板部１とに挟まれた内側の空間に入れられている複数のボール４である。ボール４は、左右の内側にそれぞれ横一列で前後左右に遊びを有した状態で入れられている。ボール４は球面上の２点が平板部１とＬ型板部２の二面で支えられる形となり、隙間からは落ちない構造である。薄物６を出し入れできる隙間は、支持部３の上下を除く、薄物挟持具の上方と左右の側方と薄物挟持具の下方に連続して形成される。
【００１５】
上記した本発明に係わるすべての実施の形態に共通の事項について述べる。横一列に並べられた複数のボール４の左右の遊びは、ボール４一個分ほどあけておくとスムーズな動きを確保することができる。ボール４の重量は、普通のメモ程度の重さの薄物６を挟持する場合は４〜６グラム位で十分だが、大きな図面や封筒や布など、重い薄物６を挟持する場合は、たとえば６０グラム位の重いボール４を使用することで挟持力を高めることができる。また、平板部１に透明材を用いれば、平板部１の側を見る正面にすることで、平板部１の後ろに隠れた部分の薄物６（原稿など）を見ることができるようになる。また、Ｌ型板部２に透明材を用いれば、ボール４や平板部１を透視することができ、この場合、ボール４をカラーのビー玉にすることで装飾性が高まり、また平板部１に装飾や広告などを施すことで美観をアップさせることができる。また、平板部１の平板を壁や黒板などに固定するには、接着や両面テープなどどんな方法でもよい。また、平板部１の平板の上端にＵ字型やＬ字型のフックを形成すれば、何かの上に引っ掛けたうえで固定することができる。また、スタンドに挟持具を固定すれば、原稿などを読む見台になる。また、平板部１を、単なる平板ではなく、たとえば壁に支持部３を直に固定することもできるし、たとえば黒板やコルクボードなどに支持部３を固定させることもできる。
【００１６】
【発明の効果】
上記した請求項１記載の発明によれば、斜めに形成されたＬ型板部の上下の二面があり、ボールは重力により自動的に下になったＬ型板部の斜面に移動するので、上下を逆にしても使用することができる。また、下方からの押し入れと引き出しができるだけでなく、上方からの押し入れと引き出しもできる。これにより、薄物の押し入れや引き出しの作業が非常に楽になり、時間も短縮できる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。
【００１７】
上記した請求項２記載の発明によれば、斜めに形成されたＬ型板部の上下の二面があり、ボールは重力により自動的に下になったＬ型板部の斜面に移動するので、上下を逆にしても使用することができる。また、下方からの押し入れと引き出しができるだけでなく、上方や横板部のある側方からの押し入れと引き出しもできる。これにより、薄物の押し入れや引き出しの作業が非常に楽になり、時間も短縮できる。また、挟持した薄物の左右の位置は横板部側はフリーであるため、横方向の位置調整が自由にできる。これにより、薄物挟持具からはみ出す程に横幅のある薄物でも挟持することができる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。また、非常に柔かい紙や柔軟な布などは、その上下を引っ張った状態で横板部の側の隙間から横方向にスライドさせることにより、簡単に挟持することができる。
【００１８】
上記した請求項３記載の発明によれば、斜めに形成されたＬ型板部の上下の二面があり、ボールは重力により自動的に下になったＬ型板部の斜面に移動するので、上下を逆にしても使用することができる。また、支持部の上下を除きを除き、下方からの押し入れと引き出しができるだけでなく、上方や左右の側方からの押し入れと引き出しもできる。これにより、薄物の押し入れや引き出しの作業が非常に楽になり、時間も短縮できる。また、挟持した薄物の左右の位置は横板部側はフリーであるため、横方向の位置調整が自由にできる。これにより、薄物挟持具からはみ出す程に横幅のある薄物でも挟持することができる。また、Ｌ型板部の上下に隙間があり一方の隙間から押し入れた薄物は反対側の隙間から出てくるため、挟持した薄物の上下の位置は自由に調整できる。これは入力原稿を挟持する場合などに便利である。また、非常に柔かい紙や柔軟な布などは、その上下を引っ張った状態で横板部の側の隙間から横方向にスライドさせることにより、簡単に挟持することができる。
【図面の簡単な説明】
【図１】本発明請求項１の薄物挟持具の実施の形態をあらわす正面図である。
【図２】本発明請求項１の薄物挟持具の実施の形態をあらわす平面図である。
【図３】本発明請求項１の薄物挟持具の実施の形態をあらわす側面図である。
【図４】本発明請求項２の薄物挟持具の実施の形態をあらわす正面図である。
【図５】本発明請求項２の薄物挟持具の実施の形態をあらわす平面図である。
【図６】本発明請求項２の薄物挟持具の実施の形態をあらわす側面図である。
【図７】本発明請求項３の薄物挟持具の実施の形態をあらわす正面図である。
【図８】本発明請求項３の薄物挟持具の実施の形態をあらわす平面図である。
【図９】本発明請求項３の薄物挟持具の実施の形態をあらわす側面図である。
【符号の説明】
１    平板部
２    Ｌ型板部
３    支持部
４    ボール
５    横板
【図１】
0003682700.tif 000002
【図２】
0003682700.tif 000003
【図３】
0003682700.tif 000004
【図４】
0003682700.tif 000005
【図５】
0003682700.tif 000006
【図６】
0003682700.tif 000007
【図７】
0003682700.tif 000008
【図８】
0003682700.tif 000009
【図９】
0003682700.tif 000010